(57)【要約】  ＬＴＥ（Long  Term  Evolution）の通信システムで用いられる下りアクセス方式であるＯＦＤＭ（Orthogonal Frequency Division Multiplexing）は干渉に弱いので、同じＥ−ＭＢＭＳ（Evolved Multimedia Broadcast Multicast Service）データを送信する基地局の数は過剰でないことが好ましい。  そこで、移動端末が各基地局の受信品質を測定して測定品質値を求める処理、所定の受信レベルを、サービング基地局の測定品質値が上回っているか判断する処理、所定の受信レベルを超えるまで、サービング基地局の測定品質値に他の基地局の測定品質値を加算する処理、サービング基地局と他の基地局をＥ−ＭＢＭＳアクティブセットの候補としてサービング基地局に通知する処理を行うことにより、良好な受信品質の確保と干渉防止を両立可能な適切な数の基地局をＥ−ＭＢＭＳアクティブセットとして選択できる。
2008038336.tif 000002
【特許請求の範囲】
【請求項１】
下りアクセス方式としてOFDM（Orthogonal Frequency Division Multiplexing）方式を用いて、一対多型の放送通信サービスを提供する放送型データの送信を行う基地局と、複数の前記基地局から送信された前記放送型データを受信するとともに合成する移動端末とを含む通信システムで実行されるデータ通信方法において、
前記移動端末の送受信をスケジューリングするサービング基地局により実行される処理であり、前記移動端末に対して前記放送型データの送信を行う１ないし複数の基地局を選択して、前記放送型データを送信する前記基地局の集合を作成する選択処理と、
この選択処理により選択された１ないし複数の基地局から送信された前記放送型データを受信する受信処理を含むデータ通信方法。
【請求項２】
移動端末が放送型データを受信する１ないし複数の基地局の受信品質を測定して測定品質値を求める処理、サービング基地局から通知された閾値を、前記サービング基地局の測定品質値が上回っているか判断する処理、前記閾値の規定する受信品質を満たすまで、前記サービング基地局の前記測定品質値に他の基地局の測定品質値を加算した加算測定品質値を求める処理、前記加算測定品質値が前記閾値の規定する受信品質を満たしたときに、前記サービング基地局の受信信号と合成されている１ないし複数の基地局を候補基地局として前記サービング基地局に通知する処理を含む、前記移動端末により実行される候補基地局選択処理が含まれることを特徴とする請求の範囲第１項に記載のデータ通信方法。
【請求項３】
移動端末が１ないし複数の基地局から受信して合成した合成受信信号の上限の受信品質を規定する第一の閾値と、前記合成受信信号の下限の受信品質を規定する第二の閾値が前記移動端末に通知されており、
前記合成受信信号の受信品質が前記第一の閾値よりも良好である場合、および前記合成受信信号の受信品質が前記第二の閾値の要求する受信品質を満たしていない場合に、候補基地局選択処理が実行されることを特徴とする請求の範囲第２項に記載のデータ通信方法。
【請求項４】
少なくとも、移動端末のスケジューリングを行うサービング基地局が変更されるハンドオーバ実行時に、候補基地局選択処理が実行されることを特徴とする請求の範囲第２項に記載のデータ通信方法。
【請求項５】
移動端末が１ないし複数の基地局から受信して合成した合成受信信号の上限の受信品質を規定する第一の閾値と、前記合成受信信号の下限の受信品質を規定する第二の閾値が前記移動端末に通知されており、
前記合成受信信号の受信品質が前記第一の閾値よりも良好である場合、前記移動端末は受信品質が過剰であることをサービング基地局に通知し、前記合成受信信号の受信品質が前記第二の閾値の要求する受信品質を満たしていない場合、前記移動端末は受信品質が不足していることをサービング基地局に通知する通知処理を行うことを特徴とする請求の範囲第１項に記載のデータ通信方法。
【請求項６】
サービング基地局に対応して、前記移動端末に対して前記放送型データの送信を行う１ないし複数の基地局があらかじめ定められており、選択処理は、前記サービング基地局に応じて対応する１ないし複数の基地局を選択することを特徴とする請求の範囲第１項または第５項に記載のデータ通信方法。
【請求項７】
下りアクセス方式としてOFDM（Orthogonal Frequency Division Multiplexing）方式を用いて、一対多型の放送通信サービスを提供する放送型データの送信を行う基地局と、複数の前記基地局から送信された前記放送型データを受信するとともに合成する移動端末とを含む移動体通信システムにおいて、
前記移動端末は、放送型データを受信する１ないし複数の基地局の受信品質を測定して測定品質値を求める処理、サービング基地局から通知された閾値を、前記サービング基地局の測定品質値が上回っているか判断する処理、前記閾値の規定する受信品質を満たすまで、前記サービング基地局の前記測定品質値に他の基地局の測定品質値を加算した加算測定品質値を求める処理、前記加算測定品質値が前記閾値の規定する受信品質を満たしたときに、前記サービング基地局の受信信号と合成されている１ないし複数の基地局を候補基地局として前記サービング基地局に通知する処理を含む、前記移動端末により実行される候補基地局選択処理を行い、
前記基地局は、前記移動端末から通知された前記候補基地局より、前記移動端末に対して前記放送型データの送信を行う１ないし複数の基地局を選択することを特徴とする移動体通信システム。
【発明の詳細な説明】
【技術分野】
【０００１】
本発明は、基地局が複数の移動端末と無線通信を実施する移動体通信システムに関するものであり、特にマルチキャスト・放送型マルチメディアサービスを移動端末に提供するためのデータ通信方法、移動体通信システムに関する。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH: High Speed-Downlink Shared Channel）を追加することにより、下りリンクを用いたデータ送信の更なる高速化を実現するＨＳＤＰＡ（High Speed Down Link Packet Access）のサービス開始が予定されている。さらに、上り方向のデータ送信を高速化するためＨＳＵＰＡ（High Speed Up Link Packet Access）方式についても提案、検討されている。Ｗ−ＣＤＭＡは、移動体通信システムの規格化団体である３ＧＰＰ（3rd Generation Partnership Project）により定められた通信方式であり、現在リリース６版の規格書がとりまとめられている。【０００３】
また、３ＧＰＰにおいて、Ｗ−ＣＤＭＡとは別の通信方式として、無線区間については"Ｌｏｎｇ  Ｔｅｒｍ  Ｅｖｏｌｕｔｉｏｎ"（LTE）、コアネットワークを含めたシステム全体構成については"Ｓｙｓｔｅｍ  Ａｒｃｈｉｔｅｃｔｕｒｅ  Ｅｖｏｌｕｔｉｏｎ"（SAE）と称される新たな通信方式が検討されている。ＬＴＥでは、アクセス方式、無線のチャネル構成やプロトコルが、現在のＷ−ＣＤＭＡ（HSDPA/HSUPA）とは異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing ）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．２５／２．５／５／１０／１５／２０ＭＨｚを適用し得る。また、ＬＴＥでは、Ｗ−ＣＤＭＡのような回線交換ではなく、パケット通信方式のみになる。【０００４】
ＬＴＥはＷ−ＣＤＭＡのコアネットワーク(GPRS)とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末ＵＥ（User Equipment）と通信を行う基地局（Base station）はｅＮＢ（E-UTRAN NodeB）、複数の基地局と制御データやユーザデータのやり取りを行う基地局制御装置(Radio Network Controller)はａＧＷ(Access Gateway)と称される。このＬＴＥの通信システムで実施されるマルチキャスト・放送型マルチメディアサービスはＥ-ＭＢＭＳ（Evolved Multimedia Broadcast Multicast Service）と称されており、複数の移動端末に対してニュースや天気予報、モバイル放送など大容量放送コンテンツが送信される。これを１対多（Point to Multipoint）サービスともいう。基地局は、Ｅ−ＭＢＭＳデータをＤＬ−ＳＣＨ（Downlink Shared Channel）やＭＣＨ（Multicast Channel）にマッピングして移動端末に送信する。また、ＬＴＥは放送型の通信サービスのみならず、複数の移動端末のうち個別の移動端末に対する通信サービスも提供する。個別の移動端末に対する通信サービスをＵｎｉｃａｓｔサービスと称する。ＬＴＥではＷ−ＣＤＭＡと異なり、トランスポートチャネル、物理チャネルでは個別の移動端末に向けた個別のチャネル（Dedicated Channel, Dedicated Physical Channel）は存在しないので、個別の移動端末へのデータ送信は共通チャネル（Shared  channel）で実施される。【０００５】
ＬＴＥの通信システムで実施されるＥ−ＭＢＭＳサービスにはマルチセル（Multi-cell）送信モードとシングルセル（Single-cell）送信モードの２種類の送信モードがある。マルチセル送信は、複数の基地局から同じＥ-ＭＢＭＳ放送サービスを同一周波数で送信するものであり、これによって、移動端末が複数の基地局からのＥ−ＭＢＭＳデータを合成できる。Ｅ−ＭＢＭＳデータは、ＭＣＨにマッピングされて送信される。一方、シングルセル送信は、ひとつのセル内のみに同じＥ−ＭＢＭＳ放送サービスを送信するものである。この場合Ｅ−ＭＢＭＳデータはＤＬ−ＳＣＨにマッピングされて送信される。シングルセル送信では、各基地局が異なる周波数でＥ−ＭＢＭＳデータを送信してもよい。マルチセル送信されたＥ−ＭＢＭＳデータを移動端末が受信し、Ｅ−ＭＢＭＳデータを合成するためには、複数の基地局から送信されたＥ−ＭＢＭＳデータが互いに干渉するシンボル間干渉を抑制する必要がある。非特許文献１は上記課題を抑制するため、マルチセル送信を行う際、移動端末での受信時のタイミング差がＯＦＤＭガード区間（OFDM guard interval  CP（Cycle Prefix）という）内に収まるようにＥ−ＭＢＭＳデータを送信する基地局を開示している。【０００６】
【非特許文献１】３ＧＰＰ  ＴＲ２５．９１２  Ｖ７．０．０
【０００７】
ＬＴＥの通信システムにおいて、下り送信に用いられるアクセス方式はＯＦＤＭであるが、ＯＦＤＭは比較的干渉に弱いアクセス方式と考えられる。つまり、複数の基地局が同じＥ−ＭＢＭＳデータを送信するマルチセル送信を行うにせよ、干渉抑制という観点からは、送信する基地局の数は適切であることが好ましい。また、不必要な基地局からの送信は干渉源となるばかりではなく、無線資源の有効利用という観点からも好ましいことではない。非特許文献２は、移動端末からＥ−ＭＢＭＳサービス(コンテンツ)を受信するための受信要求(カウンティング(Counting)，エントリ(Entry，Subscribe，Activation)など)があった基地局とその周辺基地局からのみ、要求元の移動端末にＥ−ＭＢＭＳデータを送信する通信方法を開示している。しかしながら、受信要求を送信した移動端末に、Ｅ−ＭＢＭＳデータを送信する基地局をどのように選択すべきかという点については記載されていない。【０００８】
【非特許文献２】３ＧＰＰ  Ｒ３−０６１２０５
【０００９】
移動端末が複数の基地局から送信された同じデータを受信及び合成する技術として、ソフトハンドオーバ時のレイク合成がある。レイク合成は、第３世代のＷ−ＣＤＭＡアクセス方式を用いた通信システムで適用されている。基地局が切り替わる領域付近に移動端末が位置する場合、その移動端末には、隣接セルの複数の基地局から同じ個別データ(DPDCH：Dedicated Physical Data Channel)が送信される。Ｗ−ＣＤＭＡシステムでは基地局ごとに異なるスクランブルコードが乗算されているので、移動端末は、複数の基地局からのデータの合成を行うため、まず、複数の基地局からの受信信号に対して別々に受信処理(逆拡散)を行う。例えば、３つの基地局からのデータを受信し、レイク合成を行うことが可能な移動端末は、各基地局からの受信データに対して個別に受信処理を施すため、３系統の受信部（例えば逆拡散部）を設ける必要がある。【００１０】
ソフトハンドオーバ時には、移動端末に対して同じ個別データを送信する基地局の集合として、ソフトハンドオーバ用のアクティブセットが作成される。アクティブセットに含まれる個数は、移動端末の受信能力（例えば同時に受信処理が可能な基地局の数）や通信システムからの指示により可変であるが、現状では６個が上限とされている。図１３は、ソフトハンドオーバ用のアクティブセットを作成する処理を説明する説明図である。図１３に示すグラフにおいて、縦軸は基地局からの受信信号を移動端末が測定した測定品質（Measurement Quality）、横軸は時間を示す。移動端末は、第一〜第三の基地局からの受信信号の電力を測定し、受信品質を測定する。時間Ｔ４において、第一の基地局と第二の基地局のカーブが交差しているが、これは、第二の基地局の測定品質が時間Ｔ４において第一の基地局の測定品質よりも良好になったことを示している。図上の破線は、時間Ｔ４前は第一の基地局のカーブ、時間Ｔ４後は第二の基地局のカーブを示しており、複数の基地局から移動端末が受信している信号の受信品質のうち、最善の測定品質を示している。また、一点鎖線は、破線で示されるもっとも良好な測定品質を示すカーブと、ネットワーク側から移動端末に通知された「レポートレンジ」（Reporting range）により求められたカーブであり、最良の測定品質の値（破線で示す受信レベル）からレポートレンジを減算した受信レベルを表したものである。グラフ上の一点鎖線は、ソフトハンドオーバ用のアクティブセットを作成するための動的閾値として用いられる。【００１１】
図１３において、時間Ｔ１では、第一の基地局と第二の基地局からの受信信号が一点鎖線が示す閾値よりも良好な測定品質を示す。したがって、時間Ｔ１では、第一の基地局と、第二の基地局がソフトハンドオーバ用のアクティブセットの基地局候補となる。一方、時間Ｔ２では、第三の基地局からの受信信号が一点鎖線が示す閾値よりも上回ったので、第三の基地局が新たなソフトハンドオーバ用のアクティブセットの基地局候補として追加される。このとき、移動端末は、第三の基地局をアクティブセットの追加候補とする追加イベントを送信する。時間Ｔ３では、第三の基地局からの受信信号が一点鎖線が示す閾値よりも下回ったので、第三の基地局がソフトハンドオーバ用のアクティブセットの基地局候補から削除される候補となる。このとき、移動端末は、第三の基地局をアクティブセットから削除する削除イベントを送信する。上記のように、追加ないし削除する基地局候補を判断する閾値は、最良の測定品質値からレポートレンジを減算して求められるものである。最良の測定品質値は移動端末の基地局からの距離などによって変化する。つまり、この閾値は移動端末の受信状態によって変化する動的閾値である。ソフトハンドオーバ用のアクティブセットの選択については非特許文献３に記載がある。【００１２】
【非特許文献３】３ＧＰＰ  ＴＳ２５．３３１  Ｖ６．１０．０
【００１３】
また、上記説明のような適応的に変化する動的閾値を使用してハンドオフを実行する方法とシステムが特許文献１に記載されている。特許文献１によると、適応的な動的閾値は、アクティブセットに含まれる基地局（送信源）のうち、最善の送信源と最悪の送信源の品質レベルの関数によって決まる点が開示されている。【００１４】
【特許文献１】特表２００３−５２５５３３号公報
【発明の開示】
【発明が解決しようとする課題】
【００１５】
ところで、ソフトハンドオーバ用のアクティブセットを作成する際に使用する方法を用いて、Ｅ−ＭＢＭＳデータを送信する基地局を決定する場合、下記のような問題が生じると考えられる。上記説明のように、ソフトハンドオーバ時に移動端末が受信する個別データには各基地局特有のスクランブルコードにより拡散処理がなされており、移動端末は、各基地局からの受信信号を基地局特有のスクランブルコードにより逆拡散を行う。したがって、ソフトハンドオーバ時に移動端末が受信できる基地局の個数は、移動端末の有する受信能力（例えば、逆拡散を行う受信部の個数）の制約を受ける。一方、Ｅ−ＭＢＭＳの場合、ＬＴＥの通信システムでは個別チャネルではなく共通チャネルを用いてデータ送信されるものであり、また、第三世代の通信システムのように、その送信データは基地局特有のスクランブルコードを用いて拡散処理されていない。つまり、ＬＴＥ通信システムにおける移動端末は、複数の基地局から受信したＥ-ＭＢＭＳデータを単純に合成することが可能であるので、移動端末が受信できる基地局の個数に制限はない。【００１６】
ある特定の移動端末に対してＥ−ＭＢＭＳデータを送信する、１ないし複数の基地局からなる集合を、以下の説明では便宜上、「Ｅ−ＭＢＭＳ用のアクティブセット」と称することにする。Ｅ−ＭＢＭＳ用のアクティブセットに含まれる基地局が少ない場合、移動端末におけるＥ−ＭＢＭＳデータの受信品質を確保できない場合がある。一方、基地局の個数が多くなれば、移動端末における合成処理によりＥ-ＭＢＭＳデータの受信品質は改善される。しかし、過剰な基地局からのＥ−ＭＢＭＳデータの送信は、無線資源の有効活用という観点から適切ではない。ネットワーク側から移動端末に通知されたレポートレンジと、移動端末が測定した最も良い受信レベルとの関係で決まる動的閾値（図１３の一点鎖線）を用いて基地局を選択する方法（ソフトハンドオーバ用アクティブセットを決定する方法）では、図１３のレポートレンジの範囲内に含まれる基地局の個数が予測できないため、Ｅ−ＭＢＭＳ用アクティブセットに含まれる基地局の個数によっては、レポートレンジを変更する処理が必要となる。しかし、かかる処理を行っていたのでは、無線環境の変動に応じた柔軟かつ迅速な処理は期待できない。
【課題を解決するための手段】
【００１７】
本発明は、上記のような課題を解決するために提案されたものであり、下りアクセス方式としてOFDM（Orthogonal Frequency Division Multiplexing）方式を用いて、一対多型の放送通信サービスを提供する放送型データの送信を行う基地局と、複数の基地局から送信された放送型データを受信するとともに合成する移動端末とを含む通信システムで実行されるデータ通信方法において、移動端末の送受信をスケジューリングするサービング基地局により実行される処理であり、移動端末に対して放送型データの送信を行う１ないし複数の基地局を選択して、放送型データを送信する基地局の集合を作成する選択処理と、この選択処理により選択された１ないし複数の基地局から送信された放送型データを受信する受信処理を含むデータ通信方法である。【００１８】
本発明は、下りアクセス方式としてOFDM（Orthogonal Frequency Division Multiplexing）方式を用いて、一対多型の放送通信サービスを提供する放送型データの送信を行う基地局と、複数の基地局から送信された放送型データを受信するとともに合成する移動端末とを含む移動体通信システムにおいて、移動端末は、放送型データを受信する１ないし複数の基地局の受信品質を測定して測定品質値を求める処理、サービング基地局から通知された閾値を、サービング基地局の測定品質値が上回っているか判断する処理、閾値の規定する受信品質を満たすまで、サービング基地局の測定品質値に他の基地局の測定品質値を加算した加算測定品質値を求める処理、加算測定品質値が閾値の規定する受信品質を満たしたときに、サービング基地局の受信信号と合成されている１ないし複数の基地局を候補基地局としてサービング基地局に通知する処理を含む、移動端末により実行される候補基地局選択処理を行い、基地局は、移動端末から通知された候補基地局より、移動端末に対して放送型データの送信を行う１ないし複数の基地局を選択することを特徴とする移動体通信システムである。
【発明の効果】
【００１９】
本発明に係るデータ通信方法は、下りアクセス方式としてOFDM（Orthogonal Frequency Division Multiplexing）方式を用いて、一対多型の放送通信サービスを提供する放送型データの送信を行う基地局と、複数の基地局から送信された放送型データを受信するとともに合成する移動端末とを含む通信システムで実行されるデータ通信方法において、移動端末の送受信をスケジューリングするサービング基地局により実行される処理であり、移動端末に対して放送型データの送信を行う１ないし複数の基地局を選択して、放送型データを送信する基地局の集合を作成する選択処理と、この選択処理により選択された１ないし複数の基地局から送信された放送型データを受信する受信処理を含むので、良好な受信品質の確保と干渉防止（及び無線資源の効率的利用）を両立させる適切な個数の基地局をＥ−ＭＢＭＳアクティブセットとして選択できるという効果を奏する。【００２０】
本発明に係る移動体通信システムは、下りアクセス方式としてOFDM（Orthogonal Frequency Division Multiplexing）方式を用いて、一対多型の放送通信サービスを提供する放送型データの送信を行う基地局と、複数の基地局から送信された放送型データを受信するとともに合成する移動端末とを含む移動体通信システムにおいて、移動端末は、放送型データを受信する１ないし複数の基地局の受信品質を測定して測定品質値を求める処理、サービング基地局から通知された閾値を、サービング基地局の測定品質値が上回っているか判断する処理、閾値の規定する受信品質を満たすまで、サービング基地局の測定品質値に他の基地局の測定品質値を加算した加算測定品質値を求める処理、加算測定品質値が閾値の規定する受信品質を満たしたときに、サービング基地局の受信信号と合成されている１ないし複数の基地局を候補基地局としてサービング基地局に通知する処理を含む、移動端末により実行される候補基地局選択処理を行い、基地局は、移動端末から通知された候補基地局より、移動端末に対して放送型データの送信を行う１ないし複数の基地局を選択するので、適切な個数の基地局をＥ−ＭＢＭＳアクティブセットとして選択することが可能になり、良好な受信品質の確保と干渉防止（及び無線資源の効率的利用）を両立させることができるという効果を奏する。
【図面の簡単な説明】
【００２１】
【図１】ＬＴＥにおける移動通信システムの構成を示す説明図である。
【図２】ＬＴＥの通信システムで使用されるチャネルの構成を示す説明図である。
【図３】移動端末の構成を示すブロック図である。
【図４】基地局の構成を示すブロック図である。
【図５】Ｅ−ＭＢＭＳデータ通信を開始する際の処理を説明するフローチャートである。
【図６】Ｅ−ＭＢＭＳ用アクティブセット候補基地局を選択する処理の概念を示す説明図である。
【図７】Ｅ−ＭＢＭＳ用のアクティブセットを作成する処理を説明するフローチャートである。
【図８】ハンドオーバ時に実行される処理を説明するフローチャートである。
【図９】Ｅ−ＭＢＭＳ用のアクティブセット作成処理を行うか判定する処理を説明するフローチャートである。
【図１０】Ｅ−ＭＢＭＳ用のアクティブセット作成処理を行うか判定する処理の概念を説明する説明図である。
【図１１】基地局Ａ〜Ｓが管轄するセルの集合を示す説明図である。
【図１２】Ｅ−ＭＢＭＳ用のアクティブセットを作成する処理を説明するフローチャートである。
【図１３】ソフトハンドオーバ用のアクティブセットを作成する処理を説明する説明図である。
【符号の説明】
【００２２】
１  ａＧＷ、２  基地局、３  移動局、４  パケットデータネットワーク、
５  サービスセンタ、６  プロトコル処理部、７  アプリケーション部、
８  送信データバッファ部、９  エンコーダ部、１０  変調部、１１  周波数変換部、１２  アンテナ、１３  復調部、１４  デコード部、１５  制御部、
１６  ａＧＷ通信部、１７  他基地局通信部、１８  プロトコル処理部、
１９  送信データバッファ部、２０  エンコーダ部、２１  変調部、
２２  周波数変換部、２３  アンテナ、２４  復調部、２５  デコーダ部、
２６  制御部
【発明を実施するための最良の形態】
【００２３】
実施の形態１．
図１はＬＴＥにおける移動通信システムの構成を示す説明図である。図１において、ａＧＷ１は複数の基地局（eNodeB）２と制御データやユーザデータの送受信を行い、基地局２は複数の移動端末３に対してデータの送受信を行う。基地局２と移動端末３間においては、報知情報、着呼処理に用いられる情報、個別制御データ、個別ユーザデータ、Ｅ-ＭＢＭＳ用の制御データやユーザデータ等が送信される。また、基地局２同士がお互いに通信することも検討されている。基地局２は上り及び下りのスケジューラを有する。スケジューラは、基地局２と各移動端末３のデータの送受信を可能にし、個々の移動端末３及び移動通信システム全体のスループット向上のためにスケジューリングを行う。【００２４】
Ｅ-ＭＢＭＳはある基地局から複数の移動端末に向けてデータを一斉に送信する放送型の一対多（Point to Multipoint  PtoM）型の通信サービスを提供するものである。具体的には、ニュースや天気予報等の情報サービスや、モバイルＴＶなどの大容量の放送サービスが検討されている。ａＧＷ１はＰＤＮ４(Packet Data Network)を介してサービスセンタ５と通信を行う。サービスセンタ５はＥ−ＭＢＭＳサービスを提供するためのコンテンツを保管、配信するための装置である。コンテンツプロバイダは、サービスセンタ５に対してモバイルＴＶ放送データ等のＥ−ＭＢＭＳデータを送信する。サービスセンタ５ではＥ−ＭＢＭＳデータを記憶するとともに、ＰＤＮ４、ａＧＷ１を介して基地局２へＥ−ＭＢＭＳデータを送信する。【００２５】
図２は、チャネルの構成を示す説明図である。図２には、論理チャネル（Logical channel）とトランスポートチャネル(Transport channel)のマッピングが示されている。論理チャネルは伝送信号の機能や論理的な特性によって分類される。トランスポートチャネルは伝送形態によって分類される。報知情報はＢＣＣＨ(Broadcast Control Channel)上にのせられる。ＢＣＣＨはＢＣＨ(Broadcast Channel)にマッピングされ基地局から移動端末へ送信される。着呼処理に用いられる情報はＰＣＣＨ(Paging Control Channel)上にのせられる。ＰＣＣＨはＰＣＨ(Paging Channel)にマッピングされ基地局からセル内の移動端末へ送信される。個別の移動端末あての個別制御データはＤＣＣＨ(Dedicated Control Channel)上にのせられる。【００２６】
また、個別の移動端末あての個別ユーザデータはＤＴＣＨ(Dedicated Traffic Channel)上にのせられる。ＤＣＣＨとＤＴＣＨはＤＬ−ＳＣＨ(Downlink Shared Channel)にマッピングされて、基地局から個々の移動端末にあてて個別に送信される。逆に、ＵＬ−ＳＣＨ(Uplink Shared Channel)を用いて個々の移動端末から基地局へ個別に送信される。ＤＬ−ＳＣＨは共有チャネル(Shared Channel)である。Ｅ−ＭＢＭＳ用の制御データ及びユーザデータはそれぞれＭＣＣＨ(Multicast Control Channel)とＭＴＣＨ(Multicast Traffic Channel)上にのせられ、ＤＬ−ＳＣＨもしくはＭＣＨ(Multicast Channel)にマッピングされて基地局から移動端末へ送信される。移動端末からの接続要求信号はランダムアクセスチャネル（Random Access Channel  RACH)により個々の移動端末から基地局へ送信される。【００２７】
図３は、移動端末の構成を示すブロック図である。移動端末３の送信処理は以下のとおり実行される。まず、プロトコル処理部６からの制御データ、アプリケーション部７からのユーザデータが送信データバッファ部８へ保存される。送信データバッファ部８に保存されたデータはエンコーダ部９へ渡され、誤り訂正などのエンコード処理が施される。エンコード処理を施さずに送信データバッファ部８から変調部１０へ直接出力されるデータが存在しても良い。エンコーダ部９でエンコード処理されたデータは変調部１０にて変調処理が行われる。変調されたデータはベースバンド信号に変換された後、周波数変換部１１へ出力され，無線送信周波数に変換される。その後、アンテナ１２から基地局２に送信信号が送信される。また、移動端末３の受信処理は以下のとおり実行される。基地局２からの無線信号がアンテナ１２により受信される。受信信号は、周波数変換部１１にて無線受信周波数からベースバンド信号に変換され，復調部１３において復調処理が行われる。復調後のデータはデコーダ部１４へ渡され、誤り訂正などのデコード処理が行われる。デコードされたデータのうち、制御データはプロトコル処理部６へ渡され、ユーザデータはアプリケーション部７へ渡される。移動端末の一連の送受信処理は制御部１５によって制御される。【００２８】
図４は、基地局の構成を示すブロック図である。基地局２の送信処理は以下のとおり実行される。ａＧＷ通信部１６は、基地局２とａＧＷ１間のデータの送受信を行う。他基地局通信部１７は、他の基地局との間のデータの送受信を行う。ａＧＷ通信部１６、他基地局通信部１７はそれぞれプロトコル処理部１８と情報の受け渡しを行う。プロトコル処理部１８からの制御データ、またａＧＷ通信部１６と他基地局通信部１７からのユーザデータが送信データバッファ部１９へ保存される。送信データバッファ部１９に保存されたデータはエンコーダ部２０へ渡され、誤り訂正などのエンコード処理が施される。エンコード処理を施さずに送信データバッファ部１９から変調部２１へ直接出力されるデータが存在しても良い。エンコードされたデータは変調部２１にて変調処理が行われる。【００２９】
変調されたデータはベースバンド信号に変換された後，周波数変換部２２へ出力され、無線送信周波数に変換される。その後、アンテナ２３より一つもしくは複数の移動端末１に対して送信信号が送信される。また、基地局２の受信処理は以下のとおり実行される。ひとつもしくは複数の移動端末３からの無線信号がアンテナ２３により受信される。受信信号は周波数変換部２２にて無線受信周波数からベースバンド信号に変換され、復調部２４で復調処理が行われる。復調されたデータはデコーダ部２５へ渡され、誤り訂正などのデコード処理が行われる。デコードされたデータのうち、制御データはプロトコル処理部１８へ渡され、ユーザデータはａＧＷ通信部１６、他基地局通信部１７へ渡される。基地局２の一連の送受信処理は制御部２６によって制御される。【００３０】
図５はＥ−ＭＢＭＳデータ通信を開始する際の処理を説明するフローチャートである。移動端末ＡがＥ−ＭＢＭＳサービスを利用する際、サービング基地局に対してＥ−ＭＢＭＳサービスエントリを送信する（ステップ１）。サービング基地局とは移動端末の上り、下りのスケジューリングを担当する基地局であって、移動端末が送信するＥ−ＭＢＭＳサービス(コンテンツ)を受信するための受信要求を示すエントリ(カウンティング(Counting)、エントリ(Entry，Subscribe，Activation)など)を受信する基地局をいう。サービング基地局は、移動端末Ａから送信されたＥ−ＭＢＭＳサービスエントリを受信すると（ステップ２）、移動端末Ａに対してＥ−ＭＢＭＳデータを送信する基地局の選択を行う。つまり、移動端末ＡのＥ−ＭＢＭＳ用アクティブセットに含まれる基地局を選択するための選択処理を行う（ステップ３）。このアクティブセットには、サービング基地局自身が含まれる。Ｅ−ＭＢＭＳ用アクティブセットを選択するための選択処理の詳細は後述する。ステップ３において、Ｅ−ＭＢＭＳ用アクティブセットが選択されると、移動端末Ａに対してＥ−ＭＢＭＳデータを送信する基地局が決まる。移動端末Ａに対してＥ−ＭＢＭＳデータを送信するよう、選択された基地局に要求するため、ステップ４において、サービング基地局はＥ−ＭＢＭＳ用アクティブセットに含まれる１ないし複数の基地局に対して、Ｅ−ＭＢＭＳ用アクティブセット追加要求を送信する。ステップ６において、サービング基地局からＥ−ＭＢＭＳ用アクティブセット追加要求を受信した基地局は、移動端末Ａに対するＥ−ＭＢＭＳデータの送信を行う（ステップ７）。同時にサービング基地局も移動端末Ａに対するＥ−ＭＢＭＳデータの送信を開始する（ステップ７）。移動端末Ａは、サービング基地局及びＥ−ＭＢＭＳ用アクティブセットに含まれる基地局から送信されたＥ−ＭＢＭＳデータを受信し、受信データの合成を行う（ステップ８）。【００３１】
図６は、移動端末におけるＥ−ＭＢＭＳ用アクティブセット候補基地局を選択する処理の概念を示す説明図である。図６において、縦軸は基地局からの受信信号を測定した測定品質（Measurement Quality）、横軸は時間を示す。図６には時間ｔ１、ｔ２、ｔ３、ｔ４の各時点において、サービング基地局Ａ、サービング基地局ではない基地局Ｂ及び基地局Ｃからの測定品質を示す棒グラフが表される。各基地局の棒グラフは図のとおり、網掛けのパターンが変更されている。閾値Ｘは、サービング基地局(aGW，サービスセンタでも良い)から通知されるものであり、論理チャネル（Logical Channel）であるＢＣＣＨ、ＤＣＣＨ、ＭＣＣＨ等を用いてサービング基地局から移動端末に対して送信されることが考えられる。また、トランスポートチャネル（Transport Channel）であるＢＣＨ、ＤＬ−ＳＣＨ、ＭＣＨ等にマッピングされ、移動端末に対して送信されることも考えられる。この閾値Ｘは固定閾値であるが、スケジューラの混み具合や、Ｅ−ＭＢＭＳサービスにて送信されるデータ量によって、サービング基地局が適宜変更可能としてもよい。【００３２】
図６の時間ｔ１においては、品質のよい順にサービング基地局Ａ、基地局Ｂ及び基地局Ｃの測定品質値を示す棒グラフが配列されている。そして、サービング基地局Ａ、基地局Ｂ及び基地局Ｃのいずれの測定品質も閾値Ｘを下回っていることが示されている。つまり、移動端末は、基地局Ａ、Ｂ、Ｃのいずれか単独の基地局からＥ−ＭＢＭＳデータを受信した場合、閾値Ｘの要求する受信品質を得ることができない。しかし、サービング基地局Ａの測定品質値と基地局Ｂの測定品質値を加算したものは、閾値Ｘを上回っている。したがって、移動端末は、サービング基地局ＡからのＥ−ＭＢＭＳデータのほか、次に測定品質が良好な基地局Ｂから受信したＥ−ＭＢＭＳデータを受信し、両者を合成することにより、閾値Ｘの要求する受信品質を得ることができる。言い換えれば、閾値Ｘの要求する受信品質を得るためには、基地局Ａ、ＢからのＥ−ＭＢＭＳデータを合成すれば十分であり、基地局Ａ〜Ｃ全ての基地局からのＥ−ＭＢＭＳデータを合成する必要はない。そこで、移動端末は、アクティブセットに必ず含めるサービング基地局Ａのほか、基地局Ｂを候補基地局として選択する。図６の時間ｔ２においてはサービング基地局Ａの測定品質が閾値Ｘを上回っている。つまり、閾値Ｘの要求する受信品質を得るには、サービング基地局Ａだけを受信すればよいので、基地局Ｂ、Ｃを受信する必要はない。したがって、時間ｔ２において移動端末は、サービング基地局ＡのみをＥ−ＭＢＭＳ用アクティブセット候補基地局として選択することにより、基地局ＢをＥ−ＭＢＭＳ用アクティブセット候補基地局から削除するための削除イベントを送信する。【００３３】
図６の時間ｔ３では、サービング基地局Ａの測定品質が閾値Ｘを下回ったため、基地局Ｂ、ＣからのＥ−ＭＢＭＳデータを受信する必要が生じる。時間ｔ３においても、時間ｔ１と同様、サービング基地局Ａの測定品質値と基地局Ｂの測定品質値を加算したものは、閾値Ｘを上回っているので、移動端末は、サービング基地局Ａのほか、基地局ＢからのＥ−ＭＢＭＳデータを受信すべく、Ｅ−ＭＢＭＳアクティブセット候補基地局に基地局Ｂを追加する処理を行う。つまり、移動端末は、サービング基地局Ａと基地局Ｂを候補基地局として選択し、サービング基地局に対して、候補基地局である基地局ＢをＥ−ＭＢＭＳ用アクティブセットに追加させるため追加イベントを送信する。図６の時間ｔ４では、サービング基地局Ａの測定品質が閾値Ｘを下回っていることは時間ｔ３と同様であるが、サービング基地局Ａの測定品質が基地局Ｃよりも下回っている点、及び基地局Ｃの測定品質が基地局Ｂの測定品質よりも良好になっている点が時間ｔ３と異なる。この場合、サービング基地局Ａの測定品質値と基地局Ｃの測定品質値を加算したものは、閾値Ｘを上回っているので、移動端末は、基地局Ｂではなく、基地局Ｃとサービング基地局ＡからのＥ−ＭＢＭＳデータを受信すべく、サービング基地局Ａと基地局Ｃを候補基地局として選択する。そして、Ｅ−ＭＢＭＳ用アクティブセット候補基地局から基地局Ｂを削除し、基地局Ｃを追加する更新イベント（基地局Ｂの削除イベントと基地局Ｃの追加イベント）をサービング基地局に送信する。サービング基地局は、移動端末により実行された候補基地局選択処理により選択された１ないし複数の候補基地局から、Ｅ−ＭＢＭＳ用アクティブセットに含める基地局を選択する選択処理を行う。【００３４】
以上説明した候補基地局選択処理及びＥ−ＭＢＭＳ用アクティブセット選択処理によって、Ｅ−ＭＢＭＳ用アクティブセット候補基地局に含まれる基地局の個数は、ｔ１では２個（サービング基地局Ａと基地局Ｂ）、ｔ２では１個（サービング基地局Ａ）、ｔ３では２個（サービング基地局Ａと基地局Ｂ）、ｔ４では２個（サービング基地局Ａと基地局Ｃ）となる。なお、時間ｔ４では、サービング基地局Ａの測定品質値に、サービング基地局Ａ以外の基地局のうち、もっとも品質のよい基地局Ｃの測定品質値を加算して閾値Ｘと比較していたが、基地局Ｂの測定品質値を加算して閾値Ｘと比較してもよい。つまり、サービング基地局Ａの測定品質値に、品質が良好な基地局の測定品質値から加算していくのではなく、サービング基地局Ａの測定品質値に加算した結果が閾値Ｘを越えており、かつもっとも閾値Ｘに近い値となるよう基地局を判断する処理を追加しても良い。この方法を採用しても、良好な受信品質の確保と干渉防止（及び無線資源の効率的利用）を両立させるという本願の効果を得ることが可能である。【００３５】
ここで、図６を参照しながら、ソフトハンドオーバ用アクティブセットを作成する方法を用いた場合の基地局の個数を説明する。ソフトハンドオーバ用アクティブセットは、図１３を参照しながら説明したとおり、移動端末が測定した周辺基地局の受信品質のうち、最良の受信品質値からレポートレンジを減算して求められる動的閾値を基準としている。言い換えれば、最良の受信品質値からレポートレンジで規定される領域内の受信品質を有する全ての基地局を、移動端末はソフトハンドオーバ用アクティブセット候補基地局としてサービング基地局に通知していた。サービング基地局が承認すれば、移動端末から通知された候補基地局は正式にアクティブセットに追加されることになる。つまり、図６において、ｔ１では２個（サービング基地局Ａと基地局Ｂ）、ｔ２では２個（サービング基地局Ａと基地局Ｂ）、ｔ３では２個（サービング基地局Ａと基地局Ｂ）、ｔ４では３個（サービング基地局Ａと基地局Ｂ、基地局Ｃ）となる。このように、ソフトハンドオーバ用アクティブセットを作成する方法を用いてＥ−ＭＢＭＳ用アクティブセットを作成した場合、ｔ２、ｔ４で基地局の個数が増加してしまうことが分かる。干渉に弱いＯＦＤＭを下りアクセス方式として用いるＥ−ＭＢＭＳデータ送信については、一定の通信品質が担保されるのであれば、移動端末に送信する基地局の個数は少ない方が好ましいので、Ｅ−ＭＢＭＳ用アクティブセットを作成するのに、ソフトハンドオーバ用アクティブセットを作成する方法をそのまま適用するのは不適切である。【００３６】
移動端末は、候補基地局選択処理を行うにあたり、各基地局の受信品質を測定する。受信品質のパラメータとしては、信号電力や信号対干渉電力比（Signal to Interference ratio :SIR）がある。しかし、高精度にＥ−ＭＢＭＳアクティブセットを作成するためには、Ｅ−ＭＢＭＳデータが実際に送信される周波数帯域(Ｅ−ＭＢＭＳサービス送信中の基地局であるか否かに係らず)のダウンリンクレファレンスシンボル（Downlink Reference symbol）の受信品質を測定することが推奨される。周波数特性の影響を受けないからである。【００３７】
また、ＬＴＥシステムでは、基地局の帯域幅は１.２５／２.５／５／１０／１５／２０ＭＨｚから選択、利用できるように規定されている。移動端末の受信可能帯域幅は、最大２０ＭＨｚ、少なくとも１０ＭＨｚをサポートするよう規定されている。移動端末の受信可能帯域幅が基地局の帯域幅より小さい場合、移動端末は基地局と交渉し、ポジション（position）間を移動、つまり、移動端末が無線送受信周波数の中心周波数を変更する処理を行う。この処理をリチューン(re-tune)と称する。リチューンは移動端末および，サービング基地局のスケジューラにとっても負荷が高いので、極力実行しないことが好ましいが、移動端末の中心周波数が設定されているポジション（ＵＥポジション）とは異なるポジションでＥ−ＭＢＭＳデータが送信される場合には、Ｅ−ＭＢＭＳデータの品質を測定するためにリチューンする必要が生じる。そこで、リチューンせずにＥ−ＭＢＭＳデータの品質を測定するため、第一の方法と第二の方法が考えられる。【００３８】
第一の方法は、ＵＥポジションにおけるダウンリンクレファレンスシンボルを測定し、この測定結果をもって、Ｅ−ＭＢＭＳサービスが実際に送信される周波数帯域の受信品質とみなすものである。また、第二の方法は、Ｅ−ＭＢＭＳデータ受信とは無関係に移動端末が受信する必要のあるＳＣＨ、またはＢＣＨ（Transport channel）、ＢＣＣＨ（Logical channel）の受信品質を測定した結果をもって、Ｅ−ＭＢＭＳサービスが実際に送信される周波数帯域の受信品質とみなすものである。第一の方法と第二の方法を用いることにより、リチューンを削減することによる移動端末及びサービング基地局の負荷軽減を図りつつ、Ｅ−ＭＢＭＳ用アクティブセットに含めるべき、候補基地局の品質を測定することができる。なお、第一及び第二の方法を用いて、Ｅ−ＭＢＭＳサービスが送信される周波数帯域での受信品質とみなす場合、変換時に使用するオフセット値を各々の基地局がＢＣＨ等を用いて報知してもよい。上記説明の測定処理は、図３に示す移動端末のブロック図において、復調部１３に実装することで実現される。また、上記第二の方法は、Ｅ−ＭＢＭＳデータが実際に送信される周波数帯域において基地局ごとに分離できるダウンリンクリファレンスシンボルが送信されない場合にも有効な測定処理である。【００３９】
図７は、Ｅ−ＭＢＭＳ用のアクティブセットを作成する処理を説明するフローチャートである。図７に示されるフローチャートは主に移動端末により実行される候補基地局選択処理を示し、一部サービング基地局におけるＥ−ＭＢＭＳ用アクティブセット選択処理が含まれる。移動端末は、Ｅ−ＭＢＭＳ用のアクティブセットに含まれる基地局の候補を選択して、候補基地局をサービング基地局に通知し、サービング基地局が、移動端末から通知された候補基地局より、Ｅ−ＭＢＭＳ用アクティブセットに属する基地局の選択、決定を行うものである。図７において、移動端末は、周辺基地局の受信品質を測定する（ステップ１）。そして、ステップ２において、周辺基地局の測定品質を良好な順に並べる。例えば、図６の時間ｔ１では、サービング基地局Ａ、基地局Ｂ、基地局Ｃの順となる。ステップ３において、閾値Ｘとサービング基地局Ａの測定品質を比較する。サービング基地局Ａは、サービング基地局が変更されない限り、受信品質に関わらずＥ−ＭＢＭＳ用アクティブセットには必ず含まれるものである。そのため、閾値Ｘとの比較には、まずサービング基地局Ａの測定品質を比較対照とする。ステップ３において、サービング基地局Ａの測定品質と閾値Ｘを比較した結果、サービング基地局Ａの測定品質が閾値Ｘを上回っていれば（ステップ３でＹｅｓ）、サービング基地局ＡのみでＥ−ＭＢＭＳデータの十分な品質を確保できるため、ステップ６のＥ−ＭＢＭＳ用アクティブセットの編集処理が実行される。【００４０】
サービング基地局Ａの測定品質が閾値Ｘを下回っていれば（ステップ３でＮｏ）、サービング基地局Ａのみでは、Ｅ−ＭＢＭＳデータの十分な品質を確保できないため、ステップ４において、例えば基地局Ｂの測定品質値をサービング基地局Ａの測定品質値に加算する。そして、ステップ５において、加算された加算測定品質値を閾値Ｘと比較する。加算測定品質値が閾値Ｘを上回れば（ステップ５でＹｅｓ）、ステップ６のアクティブセット編集処理が実行される。サービング基地局Ａと基地局Ｂの加算された加算測定品質値が閾値Ｘを下回っていれば（ステップ５でＮｏ）、サービング基地局Ａと基地局Ｂのみでは、Ｅ−ＭＢＭＳデータの十分な品質を確保できないため、さらにステップ４とステップ５の処理が実行され、例えば、基地局Ｃの測定品質値をサービング基地局Ａと基地局Ｂの加算された加算測定品質値に加算して閾値Ｘと比較する。サービング基地局Ａと基地局Ｂ、基地局Ｃの加算された加算測定品質値が閾値Ｘを上回れば（ステップ５でＹｅｓ）、ステップ６のアクティブセット編集処理が実行される。ステップ１からステップ５を実行して選択された候補基地局はサービング基地局に通知され、サービング基地局がステップ６の処理（Ｅ−ＭＢＭＳ用アクティブセット編集処理）を実行することで、候補基地局のうち、アクティブセットに含まれる基地局が決定される。【００４１】
ステップ６のＥ−ＭＢＭＳアクティブセット編集処理は、閾値Ｘを上回ったときの１ないし複数の基地局の内訳が、その時点のＥ−ＭＢＭＳ用アクティブセットあるいは候補基地局に含まれる基地局と比較し、Ｅ−ＭＢＭＳ用アクティブセットあるいは候補基地局への追加ないし削除が必要か判断するとともに、基地局の追加ないし削除が必要であれば、サービング基地局にＥ−ＭＢＭＳアクティブセットの更新を要請する処理である。例えば、図７のステップ３において、サービング基地局Ａの受信品質が閾値Ｘを上回った場合（ステップ３でＹｅｓ）、Ｅ−ＭＢＭＳアクティブセットはサービング基地局Ａのみでよいことになる。この場合、現在のＥ−ＭＢＭＳ用アクティブセットあるいは候補基地局にサービング基地局Ａ以外の基地局が含まれていれば、移動端末は、サービング基地局Ａ以外の基地局を削除する要請（削除イベント）を送信する。現在のＥ−ＭＢＭＳ用アクティブセットあるいは候補基地局にサービング基地局Ａ以外の基地局が含まれていなければ、特に処理は発生しない。ステップ５においても同様に、サービング基地局Ａと基地局Ｂの加算された受信品質が閾値Ｘを上回った場合（ステップ５でＹｅｓ）、Ｅ−ＭＢＭＳ用アクティブセットの候補基地局はサービング基地局Ａと基地局Ｂが含まれていれば良いので、現在のＥ−ＭＢＭＳ用アクティブセットあるいは候補基地局にサービング基地局Ａと基地局Ｂ以外の基地局が含まれていれば、移動端末は、不要な基地局を削除する要請（削除イベント）を送信する。逆に、現在のＥ−ＭＢＭＳ用アクティブセットに基地局Ｂが含まれていなければ、基地局Ｂを追加する要請（追加イベント）を送信する。現在のＥ−ＭＢＭＳ用アクティブセットあるいは候補基地局にサービング基地局Ａと基地局Ｂ以外の基地局が含まれていなければ、特に処理は発生しない。【００４２】
移動端末があるセルから他のセルに移動することにより、ハンドオーバが実行される。ハンドオーバが実行されると、ある移動端末（移動端末Ａとする）のサービング基地局も切り替えられる。ハンドオーバ実行時に移動端末ＡがＥ−ＭＢＭＳサービスを利用している場合、ハンドオーバ元のサービング基地局が選択更新をしていたＥ−ＭＢＭＳ用アクティブセットは、ハンドオーバ先のサービング基地局において新たに選択、作成されることになる。図８は、ハンドオーバ時に実行される処理を説明するフローチャートである。図８において、ハンドオーバ元の基地局が、移動端末Ａのハンドオーバ要求をハンドオーバ先の基地局に送信する（ステップ１）。また、ステップ１において現在の移動端末ＡのＥ−ＭＢＭＳ用アクティブセットをあわせて通知する。ハンドオーバ先の基地局は、ハンドオーバ元の基地局から送信されたハンドオーバ要求とＥ−ＭＢＭＳ用アクティブセットを受信する（ステップ２）。ステップ１の処理により、移動端末Ａに対するＥ−ＭＢＭＳ用アクティブセットが通知されると、ハンドオーバ先基地局は、ステップ３において、Ｅ−ＭＢＭＳ用アクティブセットに含まれる基地局に対してＥ−ＭＢＭＳ用アクティブセット追加要求を送信する。ハンドオーバ先基地局およびハンドオーバ先基地局からＥ−ＭＢＭＳ用アクティブセット追加要求を受信した基地局は、移動端末Ａに対してＥ−ＭＢＭＳデータを送信する準備を行う。【００４３】
ステップ４において、ハンドオーバ元基地局に対してハンドオーバが許可されたことを通知する信号を送信し、ステップ５において、ハンドオーバ元基地局は受信する。以上の処理を終えると、ステップ７において、ハンドオーバ元の基地局からハンドオーバ先の基地局にサービング基地局が変更されるとともに、移動端末Ａは、ハンドオーバ先の基地局が作成した新たなＥ−ＭＢＭＳ用アクティブセットに含まれる基地局から送信されたＥ−ＭＢＭＳデータを受信する。一方、ハンドオーバ元基地局は、移動端末Ａのサービング基地局ではなくなるので、ハンドオーバが成功した後、移動端末ＡのＥ−ＭＢＭＳ用アクティブセットを削除する処理を行う。その後ハンドオーバ先基地局は適切なＥ−ＭＢＭＳ用アクティブセットを選択するために、ステップ６において、移動端末ＡのＥ−ＭＢＭＳ用アクティブセットを作成し、決定する処理を行う。ステップ３における処理の詳細は、図７を用いて説明したものと同様であるので、説明は省略する。【００４４】
上記説明のように、比較的干渉に弱いアクセス方式であるＯＦＤＭを下りアクセス方式として用いるＬＴＥの通信システムにおいて、特に複数の基地局から移動端末にデータを送信する放送型サービスであるＥ−ＭＢＭＳサービスに関しては、良好な受信品質の確保と干渉防止（及び無線資源の効率的利用）を両立させるため、Ｅ−ＭＢＭＳ用アクティブセットに含まれる基地局の個数を適性にすることが重要である。本発明は、（１）移動端末が各基地局の受信品質を測定して測定品質値を求める処理、（２）サービング基地局から通知された閾値Ｘを、サービング基地局の測定品質値が上回っているか判断する処理、（３）サービング基地局から通知された閾値Ｘを超えるまで、サービング基地局の測定品質値に他の基地局の測定品質値を加算する処理、（４）閾値Ｘを上回った加算測定品質値に含まれるサービング基地局と他の基地局をＥ−ＭＢＭＳアクティブセットの候補としてサービング基地局に通知する処理、を含む候補基地局選択処理を行うことにより、良好な受信品質の確保と干渉防止（及び無線資源の効率的利用）を両立させる適切な個数の基地局をＥ−ＭＢＭＳアクティブセットとして選択できるという効果を奏する。【００４５】
また、移動端末ではなく、基地局、基地局制御装置などネットワーク側の所定の装置で、候補基地局選択処理を実行させることも可能である。例えば、移動端末が各基地局の受信品質を測定して測定品質値を求める処理を行い、その測定結果をネットワーク側の、例えばサービング基地局に通知する処理を行うことにより、上記（２）サービング基地局の測定品質値が閾値Ｘを上回っているか判断する処理、（３）閾値Ｘを超えるまで、サービング基地局の測定品質値に他の基地局の測定品質値を加算する処理、（４）閾値Ｘを上回った加算測定品質値に含まれるサービング基地局と他の基地局をＥ−ＭＢＭＳアクティブセットとして決定する処理、をサービング基地局で実行させることは可能である。この場合、候補基地局選択処理と、候補基地局選択処理の結果を受けて、Ｅ−ＭＢＭＳ用アクティブセット選択処理を行う主体がサービング基地局で一致するので、機能の集約を可能とすることができる。【００４６】
実施の形態２．
実施の形態１では、（１）移動端末が各基地局の受信品質を測定して測定品質値を求める処理、（２）サービング基地局から通知された閾値Ｘを、サービング基地局の測定品質値が上回っているか判断する処理、（３）サービング基地局から通知された閾値Ｘを超えるまで、サービング基地局の測定品質値に他の基地局の測定品質値を加算する処理、（４）閾値Ｘを上回った加算測定品質値に含まれるサービング基地局と他の基地局をＥ−ＭＢＭＳアクティブセットの候補としてサービング基地局に通知する処理を含む候補基地局選択処理、およびＥ−ＭＢＭＳ用のアクティブセット選択処理を説明した。また、移動端末があるセルから他のセルに移動してサービング基地局が切り換わる場合に、上記説明のＥ−ＭＢＭＳ用アクティブセット選択処理が実施される点についても説明した。【００４７】
図９はＥ−ＭＢＭＳ用のアクティブセット作成処理を行うか判定する処理を説明するフローチャートである。図１０は図９に示す処理の概念を説明する説明図である。移動端末はＥ−ＭＢＭＳ用のアクティブセットに含まれている基地局からのデータを受信し、合成することにより、良好な通信品質を確保している。ステップ１において、移動端末は、複数の基地局から受信して合成した状態の合成受信信号の品質を測定し、測定品質値を求める。複数の基地局から受信して合成したＥ−ＭＢＭＳデータの測定品質のパラメータとしては、実際にＥ−ＭＢＭＳデータが送信される周波数および時間におけるＥ−ＭＢＭＳデータの受信品質(電力、SIRなど)や、デコード後のＥ−ＭＢＭＳデータのブロックエラーレート（BLER）を用いることが考えられる。そして、ステップ２及び３において、移動端末はステップ１で測定した測定品質値を２種類の閾値Ｚ１、Ｚ２と比較する。【００４８】
閾値Ｚ１とＺ２は、サービング基地局(aGW，サービスセンタでも可)から移動端末に通知されるものであり、論理チャネルであるＢＣＣＨ、ＤＣＣＨ、ＭＣＣＨ等を用いて送信されても良いし、トランスポートチャネルであるＢＣＨ、ＤＬ−ＳＣＨ、ＭＣＨ等にマッピングされて通知されてもよい。また、これらの閾値Ｚ１、Ｚ２は、閾値Ｘと同様、スケジューラの混み具合や、Ｅ−ＭＢＭＳサービスにて送信されるデータ量などに応じて設定及び変更されてもよい。閾値Ｚ１は、Ｅ−ＭＢＭＳデータ（合成されている場合には合成受信信号）の測定品質値と比較する上限の閾値であり、測定品質値が閾値Ｚ１が定めるレベルよりも良好な品質を示す場合、Ｅ−ＭＢＭＳ用のアクティブセットに含まれる基地局の数を減らす方向での選択処理が必要と判断される。閾値Ｚ２は、Ｅ−ＭＢＭＳデータの測定品質値と比較する下限の閾値であり、測定品質値が閾値Ｚ２が定めるレベルよりも良好でない品質を示す場合、Ｅ−ＭＢＭＳ用のアクティブセットに含まれる基地局の数を増やす方向での選択処理が必要と判断される。【００４９】
ステップ２において、測定品質値が閾値Ｚ１より小さければ（ステップ２でＮｏ）、ステップ３が実行される。測定品質値が閾値Ｚ１より大きければ（ステップ２でＹｅｓ）、測定品質値が閾値Ｚ１が定めるレベルよりも良好な品質であることを意味しているので、現在のＥ−ＭＢＭＳアクティブセットが適切でないと判断される。そして、図７のステップ１以降の処理が実行されて、Ｅ−ＭＢＭＳ用のアクティブセットに含まれる基地局が削減されるようにＥ−ＭＢＭＳ用のアクティブセット候補基地局が変更される。ただし、変更されない場合も考えられる。具体例としては、いずれかひとつの基地局をＥ−ＭＢＭＳアクティブセットの候補基地局から削除した場合の受信品質の合計が閾値Ｘ以上とならない場合である。ステップ３において、測定品質値をＺ２と比較した結果、測定品質値が閾値Ｚ２よりも大きければ（ステップ３でＮｏ）、移動端末が受信するＥ−ＭＢＭＳデータの測定品質は、閾値Ｚ１とＺ２により規定される範囲にあるので、Ｅ−ＭＢＭＳ用アクティブセット候補基地局の選択は不要と判断される。測定品質値が閾値Ｚ２よりも小さければ（ステップ３でＹｅｓ）、測定品質値が閾値Ｚ１が定めるレベルに達していないので、現在のＥ−ＭＢＭＳアクティブセットが適切でないと判断される。そして、図７のステップ１以降の処理が実行され、Ｅ−ＭＢＭＳ用のアクティブセット候補基地局に含まれる基地局が増加されるようにＥ−ＭＢＭＳ用のアクティブセットが変更される。【００５０】
図１０に示されるとおり、時間ｔ１とｔ２におけるＥ−ＭＢＭＳデータの受信品質は、閾値Ｚ１と閾値Ｚ２が定める所定のレベルが確保されていることが分かる。つまり、時間ｔ１とｔ２におけるＥ−ＭＢＭＳ用のアクティブセットは、図９のステップ２及びステップ３でＮｏと判定されるので、現在のＥ−ＭＢＭＳ用のアクティブセットが適正であると認められる。一方、時間ｔ３におけるＥ−ＭＢＭＳデータの受信品質は、閾値Ｚ１と閾値Ｚ２が定める所定のレベルではなく、むしろ閾値Ｚ１が定めるレベルよりも過剰であることが分かる。つまり、時間ｔ３におけるＥ−ＭＢＭＳ用のアクティブセットは、図９のステップ２でＹｅｓと判定されるので、現在のＥ−ＭＢＭＳ用のアクティブセットが適正でないと認められる。時間ｔ３のケースの場合、閾値Ｚ１が定めるレベルよりも過剰な受信品質を得ているので、現在のＥ−ＭＢＭＳ用のアクティブセット候補基地局から基地局が削除されるように見直されることになる。【００５１】
上記説明のとおり、実施の形態１と比較して移動端末が実際に受信しているＥ−ＭＢＭＳデータの受信品質によりＥ−ＭＢＭＳアクティブセット候補基地局が適切であるか否かを判断することが可能となる。さらにＥ−ＭＢＭＳアクティブセット候補基地局の選択処理（図７）の実行回数を減らすことができ処理負荷の軽減が図れる。【００５２】
実施の形態３．
実施の形態２では、移動端末が複数の基地局から受信して合成した受信信号の品質が、閾値Ｚ１が定める受信レベルよりも過剰である場合（図９  ステップ２でＹｅｓ）、あるいは、閾値Ｚ２が定める受信レベルに満たない場合（図９  ステップ３でＹｅｓ）には、現在のＥ−ＭＢＭＳ用のアクティブセット候補基地局が適切でないと判定し、図７に示すＥ−ＭＢＭＳ用アクティブセットの選択処理を実行していた。しかし、実施の形態1で説明したような候補基地局選択処理を頻繁に行うのは、移動端末の処理負荷が大きくなる懸念がある。【００５３】
そこで、図９のステップ２ないしステップ３のいずれかでＹｅｓと判定された場合には、図７の候補基地局選択処理を実行するのではなく、サービング基地局に対して、単に「受信品質過剰」ないし「受信品質不良」であることを示す通知信号を送信することとする。移動端末から送信された「受信品質過剰」を通知する信号は、Ｅ−ＭＢＭＳ用アクティブセットに含まれる基地局を減らしても一定の受信品質を確保できることを示している。この場合、移動端末のＥ−ＭＢＭＳ用のアクティブセットのうち、サービング基地局からもっとも地理的にはなれた位置にある基地局を削除する処理が行われる。また、移動端末から送信された「受信品質不良」を通知する信号は、Ｅ−ＭＢＭＳ用アクティブセットに含まれる基地局を増やさなければ、一定の受信品質を確保できないことを示している。この場合、移動端末のＥ−ＭＢＭＳ用のアクティブセットに含まれない基地局のうち、サービング基地局からもっとも地理的に近くに位置する基地局を追加する処理が行われる。上記説明のような方法を採用することにより、移動端末は候補基地局を選択する処理を実行せずに済むので、移動端末の処理負荷を軽減することが可能となる。【００５４】
実施の形態４.
移動端末がＳＣＨの品質を測定した結果、図６の時間ｔ４のように、サービング基地局Ａの測定品質よりも基地局Ｃの測定品質が上回った場合には、基地局Ｃにハンドオーバされるのが通常である。この場合、サービング基地局が基地局Ａから基地局Ｃに変更されることになる。しかし、基地局Ｃが混んでいる場合には、スケジューラの負荷が非常に重く、ハンドオーバするには適さない場合がある。そのような際には、ハンドオーバ先としては、ＳＣＨの受信品質としては基地局Ｃよりも悪いものの、基地局Ｃよりも空いている基地局Ｂがより適切であることも考えられる。【００５５】
将来のハンドオーバ先となる基地局は、移動端末がハンドオーバ時にとぎれることなくＥ−ＭＢＭＳデータを受信することを可能にするため、ハンドオーバ以前にＥ−ＭＢＭＳ用アクティブセットに含まれていることが好ましい。そこで、図６の時間ｔ４において、移動端末は、測定品質が良好であるが、混みあっている基地局Ｃではなく、測定品質は基地局Ｃよりも劣るが、混みあっていない基地局Ｂに将来ハンドオーバされることを考慮し、基地局ＣをＥ−ＭＢＭＳ用アクティブセットに含まれる基地局候補として選択するようにしても良い。このように構成することにより、上記実施の形態１の効果に加えて、基地局の混み具合など、移動体通信システムの状況に応じて、Ｅ−ＭＢＭＳ用アクティブセットの選択を行うことが可能となる。【００５６】
実施の形態５.
実施の形態１〜４は、移動端末が（１）各基地局の受信品質を測定して測定品質値を求める処理、（２）サービング基地局から通知された閾値Ｘを、サービング基地局の測定品質値が上回っているか判断する処理、（３）サービング基地局から通知された閾値Ｘを超えるまで、サービング基地局の測定品質値に他の基地局の測定品質値を加算する処理、（４）閾値Ｘを上回った加算測定品質値に含まれるサービング基地局と他の基地局をＥ−ＭＢＭＳアクティブセットの候補としてサービング基地局に通知する処理を含む候補基地局選択処理を行い、この結果を受けて、サービング基地局がＥ−ＭＢＭＳアクティブセットを選択、決定していた。しかし、サービング基地局に応じて、あらかじめＥ−ＭＢＭＳアクティブセットに含まれる基地局を決定しておくことも一案である。【００５７】
図１１は、基地局Ａ〜Ｓが管轄するセルの集合を示す説明図である。図１１中、基地局Ａがサービング基地局である場合、例えば、サービング基地局Ａに隣接する基地局Ｂ、Ｃ、Ｄ、Ｅ、Ｆ、Ｇが自動的にＥ−ＭＢＭＳ用アクティブセットとして決定される。これらの基地局Ａ〜Ｇが移動端末に対してＥ−ＭＢＭＳデータを送信することになる。また、基地局Ｇがサービング基地局である場合、サービング基地局Ｇに隣接する基地局Ｂ、Ａ、Ｆ、Ｋ、Ｊ、ＩがＥ−ＭＢＭＳ用アクティブセットとして決定される。サービング基地局とＥ−ＭＢＭＳ用アクティブセットに含まれる基地局の対応付けは、リストなどの形式で保管されてもよく、サービング基地局は移動端末からのＥ−ＭＢＭＳサービスのエントリを受信した後、上記リストなどを参照し、エントリを行った移動端末に対するＥ−ＭＢＭＳ用アクティブセットを決める。【００５８】
また、サービング基地局に応じて、あらかじめＥ−ＭＢＭＳアクティブセットに含まれる基地局を決定しておくのではなく、移動体通信システム全体の状況(混み具合、Ｅ−ＭＢＭＳサービスにて送信されるデータ量など)に応じて選択するようにしても良い。これは予め決められた該当基地局リストを数種類持つこと等により実現可能である。例えば、移動体通信システム全体が混んでいた場合のハンドオーバ(サービング基地局の切替え)を考える。本来ならばハンドオーバ元の基地局(基地局Ａ)の隣接する基地局(例えば基地局Ｂ)へハンドオーバするはずの場合であっても、基地局Ｂが混んでいれば(スケジューラの負荷が非常に高い)、品質は基地局Ｂよりも劣るが空いている基地局Ｈへハンドオーバすることも考えられる。上記のような状況下において、ハンドオーバ時にとぎれることなくＥ−ＭＢＭＳデータを受信することを可能にするためには、ハンドオーバ先(基地局Ｈ)がハンドオーバ以前にＥ−ＭＢＭＳ用アクティブセットに含めておく必要がある。【００５９】
図１２は、Ｅ−ＭＢＭＳ用のアクティブセットを作成する処理を説明するフローチャートである。ステップ１において、サービング基地局は、移動端末からＥ−ＭＢＭＳエントリを受信すると（ステップ１でＹｅｓ）、移動体通信システムが混んでいるか判断する。移動体通信システムが混み合っている場合（ステップ２でＹｅｓ）には、ハンドオーバの候補となる基地局の数は多いほど良いので、図１２(ｂ)のリストＢを採用し、基地局Ａ〜ＳをＥ−ＭＢＭＳ用のアクティブセットとして選択する。一方、移動体通信システムが込み合っていない場合には（ステップ２でＮｏ）、ステップ３において、Ｅ−ＭＢＭＳのデータレートが閾値を超えているか判断する。この閾値は、リストＡとリストＢを選択するために用いられるものであり、相対的にデータレートが大きいときにはリストＢを用いることとする。データレートが閾値を越えている場合には（ステップ３でＹｅｓ）、図１２(ｂ)のリストＢを採用し、基地局Ａ〜ＳをＥ−ＭＢＭＳ用のアクティブセットとして選択する。一方、データレートが閾値を越えていない場合には（ステップ３でＮｏ）、リストＡを採用し、基地局Ａ〜ＧをＥ−ＭＢＭＳ用のアクティブセットとして選択する。【００６０】
上記説明のように、移動端末からのエントリに対して、予め決められた周辺の基地局のリストを参照することなどによりＥ−ＭＢＭＳ用アクティブセットが選択される。これにより、サービング基地局が移動端末からのＥ−ＭＢＭＳサービスエントリを受信後、速やかに適切なＥ−ＭＢＭＳ用アクティブセットを選択することができるという利点がある。また、実施の形態１で説明した方法と比較すると、移動端末からサービング基地局に対してＥ−ＭＢＭＳエントリ以外の通知(移動端末からサービング基地局への測定結果の通知など)が不要なので、無線資源の有効活用が図れるという利点がある。また予め決められた該当基地局をリスト参照により、Ｅ−ＭＢＭＳ用アクティブセットを選択することが可能となり、Ｅ−ＭＢＭＳ用アクティブセットに適切な基地局を選択する処理を行う必要がなく、サービング基地局の負荷軽減が図れるという利点がある。また、Ｅ−ＭＢＭＳ用アクティブセット選択用に基地局からの受信品質を測定し、測定結果をサービング基地局へ通知する必要がないので、移動端末の負荷軽減が図れるという利点がある。また、移動体通信システムの状況に応じた、Ｅ−ＭＢＭＳ用アクティブセットの選択を行うことが可能となる。具体的な利点の例としては、移動体通信システムの混み具合によらずハンドオーバ時にとぎれることなくＥ−ＭＢＭＳデータを受信することが可能になるという利点がある。【００６１】
ハンドオーバ時に実行される処理は実施の形態１で説明した。実施の形態５においても実施の形態１と同様のハンドオーバ処理を行うことが可能である。ただし、実施の形態１においては移動端末の測定結果から求められるＥ−ＭＢＭＳ用アクティブセット用候補基地局を用いて、サービング基地局がＥ−ＭＢＭＳ用アクティブセットを選択しているのに対して、実施の形態５においては、移動端末によるＥ−ＭＢＭＳ用アクティブセット候補基地局を用いずに、サービング基地局がリスト参照などによりＥ−ＭＢＭＳ用アクティブセットを選択している。したがって、ハンドオーバ先基地局は、図８ステップ２においてハンドオーバリクエスト受信後、すぐにリスト参照などによりハンドオーバ先基地局でのＥ−ＭＢＭＳ用アクティブセットを決定することができる。これにより、図８のステップ６を省略可能である。さらには早急にハンドオーバ先基地局における最適なＥ−ＭＢＭＳ用アクティブセットに含まれる基地局が決定されるという効果を得ることができる。
【図１】
2008038336.tif 000003
【図２】
2008038336.tif 000004
【図３】
2008038336.tif 000005
【図４】
2008038336.tif 000006
【図５】
2008038336.tif 000007
【図６】
2008038336.tif 000008
【図７】
2008038336.tif 000009
【図８】
2008038336.tif 000010
【図９】
2008038336.tif 000011
【図１０】
2008038336.tif 000012
【図１１】
2008038336.tif 000013
【図１２】
2008038336.tif 000014
【図１３】
2008038336.tif 000015
【国際調査報告】
2008038336.tif 000016
2008038336.tif 000017
2008038336.tif 000018
2008038336.tif 000019